(57)【特許請求の範囲】
【請求項１】
現金を出し入れする操作パネルの下方に回動式の点検扉を有し且つ側面部に点検用の操作部を有する現金自動入出機における保護装置であって、前記点検扉を含む現金自動入出機の周面を、前面が開放した平面視略コ字形の保護壁を有する本体部で取り囲むとともに、該本体部に対して保護部を変位可能に設け且つ該保護部が前記点検扉の前面側に位置してその開放を規制するロック態様と、該保護部が前記点検扉の前面側から退避してその開放を許容し且つ前記操作部を露出させる点検態様との少なくとも二態様を取ることができることを特徴とする現金自動入出機における保護装置。
【請求項２】
前記保護部を本体部の左右一側の側壁体前端に左右回動可能に連結し、前記側壁体は外壁と内壁とで中空状に形成され、少なくとも前記操作部側の側壁体の内壁が該操作部よりも後退位置に設定され、前記保護部を点検態様に開放した際に前記操作部の側方に空間部を形成可能としてなる請求項１記載の現金自動入出機における保護装置。
【請求項３】
前記操作部側の側壁体の内壁前端に該側壁体内部へ回動可能な作業扉を設け、該作業扉を内壁と平行となして前記操作部の側方に位置させた状態で該作業扉の前端位置を現金自動入出機の前端よりも後退位置に設定し、該作業扉を側壁体内部へ回動させた状態で前記操作部の側方に空間部を形成してなる請求項２記載の現金自動入出機における保護装置。
【請求項４】
前記保護部を、本体部の左右一側の側壁体前端に回動可能に連結した回動支持体に単又は複数の規制バーの基端を固定するとともに、該規制バーの遊端にボックス体を固定し且つ該ボックス体を他側の側壁体前端に施錠具にて係脱可能とした構造となし、更に前記回動支持体の外側部の奥行幅を内側部より小さく設定して該外側部の後端を前記側壁体の外壁前端に枢着し、該回動支持体の回動によって前記空間部を開放、閉鎖してなる請求項２又は３記載の現金自動入出機における保護装置。
【発明の詳細な説明】
【０００１】
【発明の属する技術分野】
本発明は、現金自動入出機における保護装置に係わり、更に詳しくは点検扉を含む現金自動入出機の周面を取り囲んで破壊に対して点検扉等を保護し、現金の盗難を防止するための保護装置に関する。
【０００２】
【従来の技術】
近年、カードや通帳で手軽に現金を出し入れすることができる現金自動入出機が普及し、金融機関の本店支店ばかりでなくショッピングセンターや街頭にも設置されている。
【０００３】
通常、この現金自動入出機には、現金を内部に補給し、また取り出すため、あるいは保守点検のために、現金を自動出し入れする操作パネルの下方に回動式の点検扉を設けている。この点検扉は、現金を盗み出す際の破壊目標になり、現にこの点検扉がこじ開けられる被害が最も多い。
【０００４】
そこで、前記点検扉を含む現金自動入出機を保護するために、本出願人は、特開平７−１６８９６３号公報、特開平７−１６８９６４号公報にて開示されるような保護装置を提供している。つまり、現金自動入出機を取り囲むように、平面視略コ字形の本体部とその一側壁に横開き開閉可能に枢着した保護用開閉扉を設け、現金自動入出機の点検扉の前面を保護用開閉扉で完全に覆った構造となっている。しかも、保護用開閉扉は、点検扉の枢着側と同じ側に枢着されており、また防盗性を高めるために厚く強固に形成されており、そのため保護用開閉扉を開いた状態で、同じ側へ点検扉を開くことができるように、本体部の側方に十分な空間を設ける必要があった。
【０００５】
しかし、保護装置の本体部の側方に十分な空間を設けることは、現金自動入出機を設置するために広いスペースが必要になることを意味し、コスト高になるばかりでなく、本体部の側方の空間から保護用開閉扉の枢着部を攻撃され、破壊され易くなるといった問題も生じる。また、現金自動入出機の前面側に厚さの厚い保護用開閉扉を設けると、その厚さ分だけ操作パネルから離れて操作しなければならず、体格の小さい利用者にとっては操作しづらくなるといった問題も有していた。
【０００６】
【発明が解決しようとする課題】
本発明が前述の状況に鑑み、解決しようとするところは、現金自動入出機の周面を近接して取り囲んで点検扉等を確実に保護するとともに、本体部の側方に広い空間を設けることなく、また点検扉の厚さが厚くても、当該点検扉の開閉に支障が生じない現金自動入出機における保護装置を提供する点にある。また、側面部に点検用の操作部を有する構造の現金自動入出機に適した保護装置は、未だ提供されていないが、本発明はそのような構造の現金自動入出機に特に適した保護装置を提供するものである。
【０００７】
【課題を解決するための手段】
本発明は、前述の課題解決のために、現金を出し入れする操作パネルの下方に回動式の点検扉を有し且つ側面部に点検用の操作部を有する現金自動入出機における保護装置であって、前記点検扉を含む現金自動入出機の周面を、前面が開放した平面視略コ字形の保護壁を有する本体部で取り囲むとともに、該本体部に対して保護部を変位可能に設け且つ該保護部が前記点検扉の前面側に位置してその開放を規制するロック態様と、該保護部が前記点検扉の前面側から退避してその開放を許容し且つ前記操作部を露出させる点検態様との少なくとも二態様を取ることができる現金自動入出機における保護装置を構成した。
【０００８】
更に具体的には、前記保護部を本体部の左右一側の側壁体前端に左右回動可能に連結し、前記側壁体は外壁と内壁とで中空状に形成され、少なくとも前記操作部側の側壁体の内壁が該操作部よりも後退位置に設定され、前記保護部を点検態様に開放した際に前記操作部の側方に空間部を形成可能としてなるものである。
【０００９】
更に、前記操作部側の側壁体の内壁前端に該側壁体内部へ回動可能な作業扉を設け、該作業扉を内壁と平行となして前記操作部の側方に位置させた状態で該作業扉の前端位置を現金自動入出機の前端よりも後退位置に設定し、該作業扉を側壁体内部へ回動させた状態で前記操作部の側方に空間部を形成してなることが好ましい。
【００１０】
そして、前記保護部を、本体部の左右一側の側壁体前端に回動可能に連結した回動支持体に単又は複数の規制バーの基端を固定するとともに、該規制バーの遊端にボックス体を固定し且つ該ボックス体を他側の側壁体前端に施錠具にて係脱可能とした構造となし、更に前記回動支持体の外側部の奥行幅を内側部より小さく設定して該外側部の後端を前記側壁体の外壁前端に枢着し、該回動支持体の回動によって前記空間部を開放、閉鎖してなることも好ましい。
【００１１】
【発明の実施の形態】
次に本発明の実施形態を添付図面に基づき詳細に説明する。図１〜図６は本発明の代表的な実施形態、図７及び図８は要部を示し、図中符号Ａは現金自動入出機、Ｂは保護装置、１は点検扉、２は本体部、３は保護部をそれぞれ示している。
【００１２】
前記現金自動入出機Ａは、前面上部に利用者が現金を出し入れする操作パネル４を設けるとともに、該操作パネル４の下方に管理者が現金を内部に補給し、また取り出すため、あるいは保守点検のために回動式の点検扉１を設けるとともに、側面部に点検用の操作部（図示せず）を有する構造のものである。前記操作パネル４には、磁気カードや通帳を挿入する挿入口や現金を出し入れする現金入出口、更にはＣＲＴ等の表示具等が設けられ、図示しない操作ボタンを操作して現金を入出金するのである。また、前記操作パネル４は、営業時間外には、透明又は不透明な上下に開閉するカバー５で覆い、営業時間内には該カバー５を上方へ開放するようにしている。また、前記点検扉１は、現金自動入出機Ａの前面下部の略全面に設けられ、一側を枢着部６によって枢着し、手前側へ回動して開閉できるものであり、通常は施錠具７によってロックしている。
【００１３】
本発明の保護装置Ｂは、現金を出し入れする操作パネル４の下方に回動式の点検扉１を有し且つ側面部に点検用の操作部（図示せず）を有する現金自動入出機Ａに特に適したものであり、前記本体部２に対して保護部３を変位可能に設け且つ該保護部３が前記点検扉１の前面側に位置してその開放を規制するロック態様と、該保護部３が前記点検扉１の前面側から退避してその開放を許容し且つ前記操作部を露出させる点検態様との少なくとも二態様を取ることができるようにしている。ここで、前記操作部は、現金自動入出機Ａの内部の機構部を使用状態から変化させるための操作レバーやその他のスイッチ類等であり、この操作部を操作してから紙幣や明細書用紙の紙詰まりを取り除いたり、定期点検を行うことができるようになるものであり、本発明ではその具体的限定は不要である。
【００１４】
先ず、本発明の保護装置Ｂの基本構造を図１〜図６に基づいて説明する。前記保護装置Ｂは、前方且つ上方開放した平面視略コ字形の本体部２を底板８の上面に固定し、該本体部２は両側壁体９，９と背壁体１０を有し、背面上部には照明器具を内蔵するとともに、表示板等の付属設備を備えたバックパネル体１１を有している。そして、前記保護部３は、前記本体部２の左右一側の側壁体９前端に左右回動可能に枢着部１２，１２にて連結した回動支持体１３の上下部に前記規制バー３Ａ，３Ａの基端を固定するとともに、該規制バー３Ａ，３Ａの遊端にボックス体１４を固定し且つ該ボックス体１４を前記本体部２の他側の側壁体９前端に施錠具１５にて係脱可能となした構造のものである。即ち、前記回動支持体１３とボックス体１４とは上下部の前記規制バー３Ａ，３Ａで一体化して、保護用開閉扉となる保護部３を構成するのである。ここで、前記規制バー３Ａ，３Ａは、ステンレス製の強度が高い材料で形成してある。
【００１５】
更に詳しくは、前記現金自動入出機Ａの点検扉１の枢着部６側方を開放すべく、該枢着部６に対応する本体部２の側壁体９の前端を後退位置に設定し、該側壁体９を後退したことで形成される空間１６を前記点検扉１の開放用空間として利用するとともに、前記保護部３がロック態様のときに前記空間１６を前記ボックス体１４で埋めるように構成している。つまり、本実施形態では、前記点検扉１の枢着部６を右側に設定し、該点検扉１を右側に開放できるようにし、それに応じて右側の側壁体９の前端９Ａを前記点検扉１の枢着部６よりも後退位置に設定するとともに、左側の側壁体９の前端９Ｂを閉止状態の前記点検扉１の前面近傍位置に設定している。また、両側の側壁体９，９の上端は前方へ張り出しており、この張り出し部分をバック等の載置台１７，１７とし、前記保護部３がロック態様のときに、前記回動支持体１３とボックス体１４がそれぞれ載置台１７，１７の下方に収まるように寸法設定している。また、前記両側壁体９，９の載置台１７，１７の上方には、現金自動入出機Ａの操作パネル４を囲むように側面カバー１８，１８を設けている。
【００１６】
更に、前記ボックス体１４の内部にダストボックス（図示せず）を内蔵し、該ボックス体１４の前面に投入口１９を形成するととともに、前記保護部３が点検態様のときに該ボックス体１４の背面からダストボックスを取り出せるようにしている。こうすることによって、ダストボックス自体がボックス体１４の施錠具１５で保護されることになり、投入口１９からダストボックスに捨てた現金出し入れ明細書を他人が拾うことも防止できる。
【００１７】
そして、前記保護装置Ｂの本体部２内であって底板８の上面に前記現金自動入出機Ａを載置し、その点検扉１を本体部２の前方開放側に位置させて配置する。この状態で、現金自動入出機Ａの周面と保護装置Ｂの両側壁体９，９、背壁体１０の内面及び規制バー３Ａとの隙間は可及的に狭く設定することが防盗性において好ましい。また、前記現金自動入出機Ａの点検扉１の前面には、前記規制バー３Ａ，３Ａが存在するのみであるから、従来の厚い開閉扉と比較して利用者は前記現金自動入出機Ａに接近して操作することが可能である。
【００１８】
図５は、本実施形態の保護装置Ｂを用いて現金自動入出機Ａを、三方を壁面Ｗで囲まれたスペースに設置した状態を示し、前記保護部３をロック態様となした通常の使用状態である。また、図６は、前記保護部３を回動させて点検扉１の前面から退避させた点検態様を示し、更に点検扉１を開放して実際に点検する状態を示している。このように、本実施形態の保護装置Ｂは、壁面Ｗとの間に回動支持体１３が約９０度回転できるだけの間隔を設ければ良く、他側は壁面Ｗと接触していても前記点検扉１は少なくとも９０度の角度だけは開放することができる。また、図６の状態で、ボックス体１４に内蔵したダストボックスを背面側から引き出して、その内部に捨てた明細書等のプライベート書類を廃棄することができる。
【００１９】
更に図４〜図８に基づいて本発明を詳細に説明する。本実施形態では、前記保護部３を本体部２の左右一側の側壁体９前端に左右回動可能に連結しているが、該保護部３の枢着部１２が攻撃目標にされないような構造にすれば、該保護部３を上下回動可能に前記載置台１７，１７に連結することも可能である。また、前記側壁体９は外壁２０と内壁２１とで中空状に形成され、少なくとも前記操作部側の側壁体９の内壁２１が該操作部よりも後退位置に設定され、前記保護部３を点検態様に開放した際に前記操作部の側方に空間部２２を形成可能としてしている。尚、前記操作部は、構造的な制約から前記点検扉１の枢着部６とは反対側に設けられており、つまり本実施形態では現金自動入出機Ａの左側面に設けられており、前記回動支持体１３と同じ側である。
【００２０】
更に、前記操作部側の側壁体９の内壁２１前端に該側壁体９内部へ回動可能な作業扉２３を設け、該作業扉２３を内壁２１と平行となして前記操作部の側方に位置させた状態で該作業扉２３の前端位置を現金自動入出機の前端よりも後退位置に設定し、該作業扉２３を側壁体９内部へ回動させた状態で前記操作部の側方に空間部２２を形成するようになしている。こうすることによって、ロック態様において、前方から作業扉２３が見え難くなり、仮に回転支持体１３と現金自動入出機Ａの点検扉１の隙間から作業扉２３が見えても攻撃目標とはならず、更に回動支持体１３と現金自動入出機Ａの隙間から空間部２２を通して側壁体９の内部が見えることを防止できるのである。
【００２１】
また、前記回動支持体１３の外側部１３Ａの奥行幅を内側部１３Ｂより小さく設定して該外側部１３Ａの後端を前記側壁体９の外壁２０の前端に枢着部１２にて枢着し、該回動支持体１３の回動によって前記空間部２２を開放、閉鎖するようにしている。尚、前記側壁体９の外壁２０の前端は、現金自動入出機Ａの前端よりも前方へ突出した位置に設定している。こうすることによって、保護部３を約９０度回動させて開放し、点検態様となした際に、該保護部３が側方へ突出する距離を小さくでき、側方の壁面Ｗあるいは隣接して設置する他の保護装置とのクリアランスを最小にすることができる。しかも、ロック態様においては、前記枢着部１２が側面に位置するので、該枢着部１２の側方に接近して壁面Ｗや他の隣接する保護装置が存在すれば、該枢着部１２が攻撃目標となり難いのである。
【００２２】
また、前記作業扉２３の後端２３Ａは、側壁体９の内壁２１の前端に蝶番２４にて左右回動可能に枢着されており、該側壁体９の内部側へ回動して前記操作部を空間部２２に露出させることができるようにしている。また、図７に示すように、ロック態様において、前記作業扉２３が側壁体９の内部側へ回動しないように、前記回動支持体１３の内側部１３Ｂの後端に段落ち状に当止片１３Ｃを後方へ突設し、該当止片１３Ｃに作業扉２３の前端２３Ｂを当止している。更に、図８に示すように、ロック態様において、前記作業扉２３が現金自動入出機Ａに接近する方向に回動しないように、前記載置台１７の内側縁に下方へ延設した垂下部１７Ａの内側に、前記作業扉２３の上縁に段落ち状に上方へ突設した当止片２３Ｃを当止し、更にガタツキなくその状態を維持できるようにマグネットキャッチ２５を設けて垂下部１７Ａに当止片２３Ｃを吸着している。また、前記当止片１３Ｃと作業扉２３の前端２３Ｂの一方に、他方に当接する緩衝材２６を設けても良い。
【００２３】
【発明の効果】
以上にしてなる本発明の現金自動入出機における保護装置によれば、現金を出し入れする操作パネルの下方に回動式の点検扉を有し且つ側面部に点検用の操作部を有する現金自動入出機における保護装置であって、前記点検扉を含む現金自動入出機の周面を、前面が開放した平面視略コ字形の保護壁を有する本体部で取り囲むとともに、該本体部に対して保護部を変位可能に設け且つ該保護部が前記点検扉の前面側に位置してその開放を規制するロック態様と、該保護部が前記点検扉の前面側から退避してその開放を許容し且つ前記操作部を露出させる点検態様との少なくとも二態様を取ることができるようになしたので、本体部の側方に広い空間を設ける必要がなく、また保護部を開放した際に現金自動入出機の側面部の操作部を露出させ、該操作部を操作して紙詰まりや現金の出し入れ、定期点検を行うことができ、しかも従来どおり現金自動入出機の周囲を安全に保護することができるのである。
【００２４】
請求項２によれば、側壁体が外壁と内壁とで中空状に形成されているので、保護部を開放した点検態様時に、内部の空間部を利用して手を差し入れ、操作部を操作することが容易であり、側壁体の内壁が該操作部よりも後退位置に設定されていても、外壁によって保護されているので安全性に問題がないのである。
【００２５】
請求項３によれば、ロック態様時には作業扉で操作部の側方が閉鎖されているので、操作部の直接破壊攻撃を防止できるとともに、回動支持体と現金自動入出機の隙間から空間部を通して側壁体の内部が見えることを防止でき、また点検態様時には作業扉を側壁体内部へ回動して操作部の側方を開放するので、内部の空間部を利用して手を差し入れ、操作部を操作することができる。
【００２６】
請求項４によれば、保護部を約９０度回動させて開放し、点検態様となした際に、該保護部が側方へ突出する距離を小さくでき、側方の壁面あるいは隣接して設置する他の保護装置とのクリアランスを最小にすることができ、更に点検扉の厚さが厚くても、当該点検扉の開閉に支障が生じず、また現金自動入出機の点検扉の前面には規制バーのみしか存在しないので、利用者が操作パネルに接近して操作することができ、体格の小さい利用者でも、また車椅子に乗ったままででも現金の出し入れ操作が容易である。
【図面の簡単な説明】
【図１】本発明の保護装置の代表的実施形態を示す全体斜視図である。
【図２】同じく正面図である。
【図３】同じく右側面図である。
【図４】同じく左側面図である。
【図５】保護装置の設置状態におけるロック態様を示す平面図である。
【図６】同じく保護装置の設置状態における点検態様を示す平面図である。
【図７】本発明の保護装置の要部を示す部分拡大横断面図である。
【図８】同じく縦断面図である。
【符号の説明】
Ａ  現金自動入出機    Ｂ  保護装置
Ｗ  壁面
１  点検扉            ２  本体部
３  保護部            ３Ａ  規制バー
４  操作パネル        ５  カバー
６  枢着部            ７  施錠具
８  底板              ９  側壁体
１０  背壁体          １１  バックパネル体
１２  枢着部          １３  回動支持体
１４  ボックス体      １５  施錠具
１６  空間            １７  載置台
１８  側面カバー      １９  投入口
２０  外壁            ２１  内壁
２２  空間部          ２３  作業扉
２４  蝶番            ２５  マグネットキャッチ
２６  緩衝材
【図１】
0004075290.tif 000002
【図２】
0004075290.tif 000003
【図３】
0004075290.tif 000004
【図４】
0004075290.tif 000005
【図５】
0004075290.tif 000006
【図６】
0004075290.tif 000007
【図７】
0004075290.tif 000008
【図８】
0004075290.tif 000009